(57)【要約】【課題】固定扉及びスライド扉の上方に固定手段を有しなくても室内に安定的に固定することができ、かつ、スライド扉を引き出した状態でもスライド扉を安定的に設置することができる間仕切りを提供する。【解決手段】本発明の間仕切り１は、戸袋４が形成された固定扉５と、戸袋４からの引き出し及び戸袋４への収納が可能なスライド扉６とを備え、スライド扉６は、パネル部材４５と、少なくとも下部の厚さ寸法が戸袋４の幅寸法よりも大きく形成された戸先部４６とを有し、戸先部４６の下面部４６ｃにこの戸先部４６の幅方向に間隔を空けて戸車Ｔが複数設けられている。【選択図】図１
2019015044.tif 000002
【特許請求の範囲】
【請求項１】
戸袋が形成された固定扉と、前記戸袋からの引き出し及び前記戸袋への収納が可能なスライド扉とを備え、
前記スライド扉は、パネル部材と、少なくとも下部の厚さ寸法が前記戸袋の幅寸法よりも大きく形成された戸先部とを有している間仕切り。
【請求項２】
前記戸先部の下面部にこの戸先部の厚さ方向に間隔を空けて戸車が複数設けられている請求項１に記載の間仕切り。
【請求項３】
前記戸先部に設けられた戸車の幅方向の少なくとも一部が前記パネル部材の板面よりも外側に位置するように前記戸車が設けられている請求項１又は２に記載の間仕切り。
【請求項４】
前記戸先部は、角柱を用いて形成されている請求項１から３のいずれか一項に記載の間仕切り。
【請求項５】
前記スライド扉の前記戸袋への収納完了状態で、前記固定扉の戸先側端面と前記戸先部の戸尻側端面との間に隙間が形成されている請求項１から４のいずれか一項に記載の間仕切り。
【請求項６】
前記固定扉及び前記スライド扉の少なくともいずれか一方に窓が設けられ、
前記窓の少なくともいずれか一方の面側に透視防止手段又は透光防止手段が設けられている請求項１から５のいずれか一項に記載の間仕切り。
【請求項７】
前記スライド扉を案内するガイドレールが、床面上に前記スライド扉の引き出し方向に延在するよう設置されている請求項１から６のいずれか一項に記載の間仕切り。
【請求項８】
請求項１から７のいずれか一項に記載の間仕切りが室内に設置され、
前記固定扉及び前記スライド扉が、これら固定扉及びスライド扉の上端と前記室内の天井との間に支持部材を介装させることなく、前記固定扉及び前記スライド扉と前記天井との間に間隔を空けて設置され、室内を部分的に区画可能な室内システム。
【請求項９】
前記固定扉は、床面及び前記室内の壁面に固定されている請求項８に記載の室内システム。
【発明の詳細な説明】
【技術分野】
【０００１】
本発明は、間仕切り及び室内システムに関する。
【背景技術】
【０００２】
従来より、戸袋が形成された固定扉から可動式スライド扉を引き出し可能な間仕切りが広く知られている（例えば下記特許文献１）。
特許文献１に記載の間仕切りは、前端を開口する戸袋を内部に形成する戸袋パネルと、戸袋パネルに出入自在に組み合わせる移動パネルとを備えている。戸袋パネルは、居室の壁面を利用して床面に立設し、移動パネルの戸尻側上部に連結するスライダ付きのスライドレールを上部に配置し、かつ移動パネルの戸尻側下部の戸車を前後にガイドするガイドレールを下部に配置している。また、移動パネルは、戸先側の側端面下部にストッパを付設している。
また、戸袋パネルの上端と移動パネルの上端との境に天井連結させて間仕切りを支持する連結ロッドが設けられている。
【先行技術文献】
【特許文献】
【０００３】
【特許文献１】特許第５５８８６５５号公報
【発明の概要】
【発明が解決しようとする課題】
【０００４】
特許文献１の間仕切りは、戸袋パネルから引き出された際に安定性が低下するため、好ましくは戸袋パネル上に天井と連結する連結ロッドが必要であった。したがって、外観を損ねるのみならず、間仕切りの設置時に連結ロッドにより間仕切りを天井にも固定しなければならず、設置が大がかりとなることがあった。また、戸袋パネルの先端側で連結ロッドを用いて天井と固定しても、移動パネルの全体が薄板状に形成されているため、移動パネルの引き出し時に左右にぶれやすく、操作が安定し難いことがあった。
そこで本発明は、固定扉及びスライド扉の上方に固定手段を有しなくても室内に安定的に固定することができ、かつ、スライド扉を引き出した状態でもスライド扉を安定的に設置することができる間仕切りを提供する。
【課題を解決するための手段】
【０００５】
本発明の間仕切りは、戸袋が形成された固定扉と、前記戸袋からの引き出し及び前記戸袋への収納が可能なスライド扉とを備え、前記スライド扉は、パネル部材と、少なくとも下部の厚さ寸法が前記戸袋の幅寸法よりも大きく形成された戸先部とを有している。
この構成によれば、少なくとも下部の戸先部の厚さが戸袋の幅寸法よりも大きいすなわちパネル部材の厚さよりも大きく形成されているため、パネル材を薄板状に形成してもスライド扉の安定性を高められる。
【０００６】
本発明の間仕切りの前記戸先部の下面部にこの戸先部の厚さ方向に間隔を空けて戸車が複数設けられている。
この構成によれば、戸車が戸先部の厚さ方向に複数設けられているため、スライド扉の安定性を更に高められる。
【０００７】
本発明の間仕切りの前記戸先部に設けられた戸車の幅方向の少なくとも一部は、前記パネル部材の板面よりも外側に位置するように前記戸車が設けられていてもよい。
この構成によれば、スライド扉の安定性を一層高めることができる。
【０００８】
本発明の間仕切りの前記戸先部は、角柱を用いて形成されていてもよい。
この構成によれば、スライド扉の縦方向の安定性が高められる。
【０００９】
本発明の間仕切りの前記スライド扉の前記戸袋への収納完了状態で、前記固定扉の戸先側端面と前記戸先部の戸尻側端面との間に隙間が形成されていてもよい。
この構成によれば、スライド扉の引き出し又は収納時における指掛けが形成されるため、別個に取っ手や指掛け部を形成することを回避することができる。
【００１０】
本発明の間仕切りの前記固定扉及び前記スライド扉の少なくともいずれか一方に窓が設けられ、前記窓の少なくともいずれか一方の面側に透視防止手段又は透光防止手段が設けられていてもよい。
この構成によれば、透視及び採光を自在に調整することができる。
【００１１】
本発明の間仕切りの前記スライド扉を案内するガイドレールが、床面上に前記スライド扉の引き出し方向に延在するよう設置されていてもよい。
この構成によれば、スライド扉を安定的に引き出すことができる。
【００１２】
本発明の室内システムは、上記いずれかに記載の間仕切りが室内に設置され、前記固定扉及び前記スライド扉が、これら固定扉及びスライド扉の上端と前記室内の前記天井との間に支持部材を介装させることなく、前記固定扉及び前記スライド扉と前記天井との間に間隔を空けて設置され、室内を部分的に区画可能となっている。
この構成によれば、間仕切りの揺れ等を防止して安定的に使用することができるとともに、間仕切りの上部に支持部材等を設置することを排除しているため、室内空間に煩雑さがなくなりまとまりができる、快適な空間を提供することができる。
【００１３】
前記固定扉は、床面及び前記室内の壁面に固定されていてもよい。
この構成によれば、固定扉の安定性が非常に高まる。
【発明の効果】
【００１４】
本発明の間仕切り及びこれを設置した室内システムは、室内に安定的に固定することができ、かつ、スライド扉を引き出した状態でもスライド扉を安定的に設置することができるという効果を奏する。
【図面の簡単な説明】
【００１５】
【図１】本発明の一実施形態の間仕切り及び室内システムであって、スライド扉を引き出した状態を示す概略図である。
【図２】本発明の一実施形態の間仕切り及び室内システムであって、スライド扉を収納した状態を示す概略図である。
【図３】図２をＤ１−Ｄ１線で矢視した断面図である。
【図４】図２をＤ２−Ｄ２線で矢視した断面図である。
【図５】本発明の一実施形態の間仕切りの巾木ベースを分解して示した基台部材及び補強部材を長手方向に視た側面図である。
【図６】（ａ）本発明の一実施形態の間仕切りの巾木ベースを分解して示した台座部材を長手方向に視た側面図である。（ｂ）本発明の一実施形態の間仕切りの巾木ベースを分解して示した台座部材を短手方向に視た正面図である。
【図７】（ａ）本発明の一実施形態の間仕切りの上枠部材の底面図である。（ｂ）本発明の一実施形態の間仕切りの上枠部材を長手方向に視た側面図である。
【図８】本発明の一実施形態の間仕切りのスライド扉を最大に引き出した状態のスライド扉戸尻側上端部を示した一部拡大図である。
【図９】本発明の一実施形態の間仕切りのスライド扉の戸尻側上端部を示した部分側断面図である。
【図１０】（ａ）本発明の一実施形態の間仕切りの縦枠部材の側面図である。（ｂ）本発明の一実施形態の間仕切りの縦枠部材の底面図である。
【図１１】本発明の一実施形態の間仕切りのスライド扉の構造の変形例を示す図であり、（ａ）は戸先部を戸尻側端面から視た図であり、（ｂ）は可動用パネル部材の戸先側を部分的に示した背面図であり、（ｃ）は可動用パネル部材を戸先側から視た図である。
【図１２】本発明の一実施形態の間仕切りのスライド扉の構造の変形例を示す一部断面図である。
【図１３】本発明の一実施形態の間仕切りのスライド扉の抜け防止構造を示した部分断面図である。
【図１４】本発明の一実施形態の間仕切りのスライド扉の抜け防止構造を示すスライド扉を省略して示した部分断面図である。
【図１５】（ａ），（ｂ）本発明の一実施形態のスライド扉の戸先部の変形例を示した図である。
【発明を実施するための形態】
【００１６】
以下、図を参照して本発明の間仕切り及び本発明の間仕切りを使用した室内システムの実施形態について説明する。
【００１７】
図１，図２に示すように、本発明の間仕切り１は、巾木ベース２と、巾木ベース２の延長線上に敷設されるガイドレール３と、巾木ベース２上に設置され戸袋４が形成された固定扉５と、戸袋４への収納及び戸袋４からの引き出しが自在であるスライド扉６とを備えている。そして、本発明の室内システムＸの一実施形態として、間仕切り１は、例えば病院や介護施設における室内の区画したい箇所に設置して用いられる。
【００１８】
固定扉５及びスライド扉６は、特に限定されるわけではないが、１６０ｃｍ前後の高さを有するいわゆるローパーテーションであり、例えば複数のベッドの間に設置した際にベッドの上に座った状態で隣が見えないようにするのに好適に用いられる。
以下、本発明の間仕切り１について詳細に説明する。
【００１９】
固定扉５は、厚さ方向に間隔を空けて巾木ベース２上に設置される一対の固定用パネル部材７，７（一方は紙面奥行き方向に設置）と、一対の固定用パネル部材７，７をこれらの上端で固定する上枠部材８と、一対の固定用パネル部材７，７の戸尻側端部を室内の壁部Ｗに取り付ける縦枠部材９とを備えている。
【００２０】
図３に示すように、固定用パネル部材７は、２枚の薄厚の表面材Ｐ，Ｐを厚さ方向に対向配置し、これらの間に、例えばペーパーコア等の充填部材Ｑを充填して形成されている。
図３，図４に示すように、固定用パネル部材７の上端面部７ａ、下端面部７ｂ、戸先側端面部７ｃ及び戸尻側端面部７ｄには、長尺で、長手方向に視てＵ字状の補強連結材１０が配されている。
【００２１】
図３，図４に示すように、補強連結材１０は、水平部１０ａと、水平部１０ａの両端から略垂直に折れ曲がって形成された垂直部１０ｂ，１０ｂとを備えている。水平部１０ａの幅寸法は、固定用パネル部材７の厚さ寸法と略同寸法に形成されている。
【００２２】
図１，図２に示すように、固定用パネル部材７の上部側には、開口部が形成され、開口部に透明又は半透明の樹脂製板材などが嵌められ、窓１５が形成されている。
このように構成された固定用パネル部材７は、所定の間隔を空けて、表面材Ｐ，Ｐ同士を互いに対向させて２つを一対として巾木ベース２上に設置されている。
【００２３】
巾木ベース２は、図３に示すように、固定用パネル部材７を立設させるベースとなる基台部材２０と、基台部材２０を補強する補強部材２１と、補強部材２１上に配置されるレール部材２３と、基台部材２０上に更に配置して固定用パネル部材７を取り付ける台座部材２４と、基台部材２０の上部から上方に一定の間隔を空けるとともに、台座部材２４を支持する支持ピン２５とを備えている。
【００２４】
図５に示すように、基台部材２０は、床面Ｆ上に配置される長尺な底板部２６と、底板部２６の長手方向（図５においては紙面奥行き方向）に延びる両辺から立ち上がった外側板部２７と、外側板部２７の上端から外側板部２７，２７間の内側に折れ曲がって延びる上板部２８と、上板部２８から下方に折れ曲がった内側板部２９とを有している。
【００２５】
上板部２８の幅寸法は、図３に示す固定用パネル部材７の厚さ寸法よりもやや小さく形成されている。
内側板部２９同士の間の寸法は、図３に示すスライド扉６を出し入れ可能な間隔すなわち戸袋４の幅方向の寸法と略同寸法に設定されている。
【００２６】
補強部材２１は、基台部材２０の底板部２６上に重ねられる水平板部３０と、水平板部３０の長手方向（図５においては紙面奥行き方向）に延びる両辺から立ち上がり、内側板部２９の内壁面に一部が重なるように配される垂直板部３１とを備えている。水平板部３０は、基台部材２０の内側板部２９の寸法よりも僅かに大きい幅寸法で形成されている。
【００２７】
基台部材２０と補強部材２１とは、このように上下に重ね合わされることにより、底板部２６と水平板部３０とが重なって頑丈な底面部を形成している。また、基台部材２０の外側板部２７、上板部２８、内側板部２９及び補強部材２１の垂直板部３１により、長手方向に視て略矩形の枠３８，３８が形成され、図３に示す固定用パネル部材７，７を設置可能な頑丈な土台が形成されている。
【００２８】
基台部材２０と補強部材２１とは、図３に示すように、アンカー部材３９により床面Ｆに強固に固定される。
レール部材２３は、スライド扉６の戸車Ｔをガイドする部材であり、枠３８，３８の間であって補強部材２１の図５に示す底板部２６及び水平板部３０の上面に配されて固定されている。これによりレール部材２３は、底板部２６及び水平板部３０の厚さ分上方に固定される。
【００２９】
図５に示すように、支持ピン２５は、外周面に不図示の雄ネジ部が形成された円筒状の胴部２５ａと、胴部２５ａが螺合するナット２５ｂと、胴部２５ａの上端に逆切頭円錐台形に形成された頭部２５ｃとを有している。
基台部材２０の上板部２８の幅方向中央には、長手方向に間隔を空けて開口部が形成されており、この開口部に支持ピン２５が挿入され且つ固定されている。
【００３０】
図６（ａ），（ｂ）に示すように、台座部材２４は、図５に示す支持ピン２５上に載置される側視略逆Ｕ字状の台座本体部３２と、連結部材３３とを有している。
台座本体部３２は、スチール等の剛性の高い長尺な部材を折り曲げて形成されており、上板部３２ａ及び上板部３２ａの両端から垂下する側板部３２ｂを有している。
【００３１】
台座部材２４の上板部３２ａは、固定用パネル部材７の厚さ寸法とほぼ同じ幅寸法で形成されている。台座部材２４の側板部３２ｂは、図３に示すように、支持ピン２５上に上板部３２ａを載置した際に、外側板部２７を十分に覆う長さに形成されている。
【００３２】
図６（ｂ）に示すように、台座部材２４の連結部材３３は、矩形に形成された鋼板の長手方向の両端を折り曲げて形成され、台座本体部３２の上板部３２ａに長手方向（図６（ｂ）の水平方向）に間隔を空けて複数取り付けられている。
以上の構成を有する巾木ベース２の台座部材２４に、図３に示すように下端面部７ｂに固定された補強連結材１０が連結されている。
【００３３】
図７（ａ），（ｂ）に示すように、上枠部材８は、スチールやアルミ形材等の剛性の高い素材で断面視矩形に形成された長尺な角柱材３４Ａと、図３に示す可動用パネル部材４５と対向配置される揺れ防止ガイド部材３５と、図３に示す固定用パネル部材７の上端面部７ａと連結する連結部材３６とを有している。
【００３４】
角柱材３４Ａは、扁平な四角柱状に形成され、その長手方向の両端面が小口塞ぎで閉じられている。角柱材３４Ａは、互いに対向する扁平面を上下面に向けて配される。
揺れ防止ガイド部材３５は、角柱材３４Ａの下面の幅方向中央に配される長尺な略板状の部材であり、角柱材３４Ａの下面に固定される取付板部３５ａと、取付板部３５ａの幅方向中央において一定の高さで突出し長手方向に延びて、スライド扉６に嵌合する突条部３５ｂとを有している。
【００３５】
上枠部材８の連結部材３６は、角柱材３４Ａの下面に重ねられる長尺な板状の水平部３６ａと、水平部３６ａの長手方向に延びる両辺から垂下する板状の垂直部３６ｂとを備えている。垂直部３６ｂ，３６ｂ同士間の幅寸法は、図３及び図４に示す補強連結材１０の垂直部１０ｂ，１０ｂ同士間の幅寸法よりも小さく形成されている。この連結部材３６は、２本用意され、水平部３６ａを揺れ防止ガイド部材３５を間に挟んで揺れ防止ガイド部材３５に平行に配されている。
【００３６】
図３に示すように、固定用パネル部材７は、その上端面部７ａに取り付けた補強連結材１０の垂直部１０ｂ間に、角柱材３４Ａの下面に取り付けた連結部材３６の垂直部３６ｂを挿入し、ビス等の固定手段にて垂直部１０ｂと垂直部３６ｂとを連結することで、上枠部材８に固定されている。
【００３７】
図８に示すように、角柱材３４Ａの戸先側下面には、設定された最大の引き出し位置でスライド扉６のそれ以上の引き出しを規制する上枠側引き出し停止部材４０が取り付けられている。
上枠側引き出し停止部材４０は、短冊状の板部材の一端部を折り曲げてＬ字状に形成し、折り曲げた一端部側を被係止部４０ａとし、他端部側を角柱材３４Ａの下面への取付部４０ｂとしている。取付部４０ｂには、挿入孔が形成されている。上枠側引き出し停止部材４０は、取付部４０ｂを角柱材３４Ａの戸先側下面に配してビス等の固定手段にて固定できるようになっている。
【００３８】
図１０に示すように、縦枠部材９は、スチール等の剛性の高い素材で形成された長尺な角柱材３４Ｂと、図４に示す固定用パネル部材７の戸尻側端面部７ｄに固定された補強連結材１０と連結する連結部材３６とを有している。
角柱材３４Ｂの扁平面の幅寸法は、図７に示す上枠部材８と略同等か、上枠部材８よりも僅かに大きく形成されている。角柱材３４Ｂの厚さ寸法は、上枠部材８の角柱材３４Ａの厚さ寸法よりも小さく形成されている。
【００３９】
図１に示すように、角柱材３４Ｂの長手方向の寸法は、巾木ベース２、固定用パネル部材７及び上枠部材８を組み立てて床面Ｆに設置した際の床面Ｆから上枠部材８の上端面までの寸法と略同寸法に形成されている。これらの点を除いて縦枠部材９の角柱材３４Ｂは、上枠部材８の角柱材３４Ａと略同様に形成されている。
図１０に示す縦枠部材９が備える連結部材３６は、図７に示す上枠部材８の連結部材３６と長手方向の寸法を除いて略同様に形成されている。
【００４０】
以上の構成の縦枠部材９は、図１に示す室内の壁面Ｗ等に角柱材３４Ｂの扁平面の一方を密着させてアンカー部材３９等を用いて固定されている。そして、室内の壁面Ｗに固定された縦枠部材９に巾木ベース２の戸尻側端部、固定用パネル部材７の戸尻側端面部７ｄ及び上枠部材８の戸尻側端部を扁平面に突き合わせた状態で、ビス等の固定手段によってこれらを縦枠部材９に強固に固定させている。
以上のようにして組み立てられた巾木ベース２、固定用パネル部材７，７、上枠部材８及び縦枠部材９に囲まれて戸袋４が形成されるとともに、固定扉５が完成する。
【００４１】
図１に示すように、スライド扉６は、可動用パネル部材４５と、可動用パネル部材４５の戸先に設けられた可動用パネル部材４５よりも肉厚な部分を有する戸先部４６と、可動用パネル部材４５及び戸先部４６の双方に設けられた戸車Ｔと、図９に示す可動用パネル部材４５の上端に設けられた揺れ止め溝部材４７とを主として備えている。本実施形態では、スライド扉６は更に、可動用パネル部材４５の戸尻側端面に設けられた戸当たりゴム４８と、図８及び図９に示す可動用パネル部材４５の側面部の戸尻側に設けられた扉側引き出し停止部材４９とを備えている。
【００４２】
図３に示すように可動用パネル部材４５は、２枚の薄い表面材Ｐ，Ｐを厚さ方向両側に対向配置し、これらの間に、例えばペーパーコア等の充填部材Ｑを充填して形成されている。可動用パネル部材４５の厚さ寸法は、固定用パネル部材７の厚さ寸法よりも大きく形成されている。
図４に示すように可動用パネル部材４５の戸先側端部には、戸先部４６が設けられている。
【００４３】
戸先部４６は、少なくとも戸車Ｔを取り付ける下端部が戸袋４の幅寸法よりも肉厚に形成された長尺な部材であり、本実施形態では、長手方向に一定の厚さに形成されたやや扁平な四角柱形状に形成されている。
戸先部４６の厚さ及び長手方向の寸法は、共に可動用パネル部材４５の厚さ及び縦寸法よりも大きく形成されている。
【００４４】
図１に示す戸先部４６の下面部４６ｃには、図４に示すように、戸先部４６の厚さ方向に間隔を空けて戸車Ｔが平行に複数（本実施形態では２つ）取り付けられている。なお、本発明においては、１つの戸車Ｔとしてダブルタイヤ型のものを含む。
戸先部４６の戸車Ｔは、そのタイヤの厚さ方向の一部が可動用パネル部材４５の両側面の外側に位置するように取り付けられている。本実施形態では、タイヤの厚さ方向の中央線Ｌ１が、可動用パネル部材４５の板面の外側に位置するように取り付けられている。
【００４５】
したがって、戸先部４６の厚さは、戸車Ｔの前記構成を可能にする厚さ寸法、具体的には、特に限定されないが、本実施形態では可動用パネル部材４５の厚さの１．５倍以上、好ましくは２倍以上であって、上限は特に限定されないが、固定扉５全体の厚さ寸法と同等程度以下であることが好ましい。
【００４６】
図４に示すように、戸先部４６の厚さを形成する面であって可動用パネル部材４５と対向する戸尻側端面には、可動用パネル部材４５の先端面よりも僅かに大きい開口部に形成された嵌合凹部４６ｓが形成されている。
この戸先部４６の嵌合凹部４６ｓに可動用パネル部材４５の戸先側端部が挿入されて固定されている。
【００４７】
戸先部４６の嵌合凹部４６ｓが形成された面と反対側の面すなわち戸先部４６の戸先側端面の下部には、スライド扉６を引き出した状態で固定するロック部材５０が設けられている。
本実施形態においてロック部材５０は、丸落とし、角落とし、フランス落とし等を好適に用いることができる。
【００４８】
図１に示すように、スライド扉６の引き出し先の床面Ｆ上には、突出高さがおよそ３ｍｍ以下のガイドレール３が直接に設置され、この上を戸先部４６の戸車Ｔ，Ｔが案内されて転がるようになっている。
そのために、本実施形態では、戸先部４６の戸車Ｔ，Ｔは、可動用パネル部材４５の戸尻側の戸車Ｔよりも底板部２６及び水平板部３０を合わせた厚さ分低い位置に固定されている。
なお、レール部材２３とガイドレール３とは、設置及び製造の簡便性の観点から縁切りされており、それぞれ別個に設置できるようになっている。
【００４９】
戸先部４６は、このように戸車Ｔ及び可動用パネル部材４５を取り付けかつ戸車Ｔをガイドレール３上に載置した状態で、戸先部４６の上端面の位置が固定扉５の上枠部材８の上端面と略同じ高さになるように形成されている。
【００５０】
図３及び図９に示すように、可動用パネル部材４５の上端部には長手方向に延びるようにＵ字型に形成された揺れ止め溝部材４７が嵌め込まれている。
揺れ止め溝部材４７の溝幅は、図３及び図７に示す上枠部材８に設けられた揺れ防止ガイド部材３５の突条部３５ｂを僅かな遊びを残して略ちょうど嵌入させ、突条部３５ｂを円滑に摺動させ得る寸法に設定されている。
【００５１】
図８，図９に示すように可動用パネル部材４５の戸尻側上端部には、上枠部材８の戸先側下面に取り付けられた上枠側引き出し停止部材４０に係合して、スライド扉６の引き出しをストップさせる扉側引き出し停止部材４９が取り付けられている。
【００５２】
扉側引き出し停止部材４９は、可動用パネル部材４５の戸尻側上端部の両板面及びこれらの間の戸尻側端部を覆った状態で固定される上面視Ｕ字状の取付部４９ａと、可動用パネル部材４５の上端から突出して上枠側引き出し停止部材４０に係合する係合部４９ｂとを有している。この扉側引き出し停止部材４９は、鋼板を折り曲げて形成されている。
【００５３】
扉側引き出し停止部材４９の係合部４９ｂは、揺れ防止ガイド部材３５を避けて跨るように取付部４９ａから二股に分かれて形成されている。これにより、扉側引き出し停止部材４９の係合部４９ｂは、上枠部材８に設けられた揺れ防止ガイド部材３５に緩衝しないでスライド扉６を上枠側引き出し停止部材４０に至るまで引き出すことができるようになっている。
図１及び図４に示すように、可動用パネル部材４５の下端部の戸尻側には、戸車Ｔが一つ固定されている。
【００５４】
図１に示すように、戸当たりゴム４８は、可動用パネル部材４５の戸尻側端面に、高さ方向に間隔を空けて取り付けられている。
図４に示すように、可動用パネル部材４５は、戸当たりゴム４８が縦枠部材９に接触するまで戸袋４内に完全に収納した状態において、戸先側の部分が固定用パネル部材７の戸先側端面から一定寸法（Ｌ２寸法）突出する横寸法で形成されている。すなわち、図２に示すように固定扉５の戸先側端面と戸先部４６の戸尻側端面との間に図４に示すＬ２寸法分の隙間が形成される構成となっている。
【００５５】
収納完了状態の可動用パネル部材４５の戸先側部分の具体的な突出寸法（ただし戸先部４６内に挿入されている部分は含まない）は、５ｍｍ以上、望ましくは１０ｍｍ以上、より好ましくは１５ｍｍ以上である。収納時の可動用パネル部材４５の戸先側部分突出最大幅は、特に限定されないが、スライド扉６の収納時に戸先部４６の戸尻側端面と固定扉５の戸先側端面との間におよそ大人が指を挟まない程度の寸法に形成されていればよい。
【００５６】
可動用パネル部材４５には、厚さ方向に貫通する開口部が形成されている。開口部には、透光性のある半透明の板部材が嵌め込まれており、図１に示す窓５５を形成している。
以上のようにして、スライド扉６が構成されている。
【００５７】
次に、固定扉５とスライド扉６との設置方法、使用時の作用及び効果について説明する。
間仕切り１を設置するには、図１及び図２に示すように、室内を区画したい場所の壁面Ｗに、アンカー部材３９等を用いて縦枠部材９を取り付け、床面Ｆには巾木ベース２を固定する。
【００５８】
巾木ベース２は、図３に示すように基台部材２０及び補強部材２１を合わせて全体として長手方向に視てＵ字状に構成されているので、この状態で床面Ｆ上に設置し、図５に示す底板部２６及び水平板部３０を貫通するようにアンカー部材３９等にて床面Ｆに固定する。
そして、図５に示す水平板部３０の上面に図３に示すレール部材２３を固定する。支持ピン２５は図５に示すように基台部材２０の上板部２８の不図示の挿通孔に合わせて予め固定しておいたナット２５ｂに胴部２５ａを螺入して、所定の高さに設定する。その上で、台座部材２４を支持ピン２５の上方から嵌合させる。なお、台座部材２４の高さ調整は、台座部材２４の上板部３２ａに形成された孔を通して支持ピン２５を操作することにより、台座部材２４の支持ピン２５への設置後にすることも可能である。以上により、巾木ベース２の設置が完了する。
【００５９】
次に、２枚の固定用パネル部材７，７を巾木ベース２の２つの台座部材２４にそれぞれ平行にして固定する。そして、図４に示すように、固定用パネル部材７の戸尻側端面に設けられた補強連結材１０の垂直部１０ｂ，１０ｂ内に縦枠部材９の連結部材３６の垂直部３６ｂを挿入した状態で、垂直部１０ｂと垂直部３６ｂとをビス等の固定手段を用いてしっかりと固定する。
【００６０】
また、図３に示すように、上枠部材８を固定扉５の上に設置し、上枠部材８側の連結部材３６の垂直部３６ｂを固定用パネル部材７の補強連結材１０の垂直部１０ｂ，１０ｂ内に挿入し、上枠部材８側の垂直部３６ｂ及び垂直部１０ｂをビス等の固定手段を用いてしっかりと固定する。
これにより、固定用パネル部材７，７及び上枠部材８を巾木ベース２上及び縦枠部材９に確実に固定して固定扉５の設置が完了する。
【００６１】
スライド扉６は、その戸尻側をやや斜め下方に傾けて、スライド扉６の戸尻側上端に固定した図８に示す扉側引き出し停止部材４９の係合部４９ｂが、上枠部材８の戸先側下面に固定された上枠側引き出し停止部材４０の被係止部４０ａを乗り越えるようにして、戸袋４内に挿入する。
これにより、スライド扉６は固定扉５の戸袋４内に収納され及び戸袋４から引き出すことができる状態になって、間仕切り１の設置が完了する。
【００６２】
間仕切り１は、使用に際して、室内空間を十分に区画したい場合には、図１に示すようにスライド扉６を戸袋４から最大限引き出し、ロック部材５０で引き出し状態を固定しておく。そして、ベッド等の室内の設置物を移動させたりしたい場合に、ロック部材５０によるロックを解除して図２に示すようにスライド扉６を戸袋４内に収納し、室内の移動スペースを最大にすることができる。したがって、室内空間の区画を簡単に変更することができるという効果を奏する。
【００６３】
特に間仕切り１は、可動用パネル部材４５よりも大きい厚さ寸法を有する戸先部４６の２つの戸車Ｔと可動用パネル部材４５の戸尻側の１つの戸車Ｔの３点でスライド扉６を支持することができるため、スライド扉６の安定性が格段に上がるという効果を奏する。
更に、間仕切り１は、戸先部４６の戸車Ｔが、その厚さ方向中央が可動用パネル部材４５の板面の外側に来るように設置されているため、スライド扉６の大部分を占める可動用パネル部材４５の厚さ方向のぶれをより確実に抑えることができるという効果を奏する。
【００６４】
上記実施形態の間仕切り１は、固定扉５及びスライド扉６の上端に手が届き易いローパーテーションとなっており、これらの厚さ方向のブレをしっかりと抑える必要があるので特に有効な構成となっている。
【００６５】
間仕切り１は、このように非常に高い安定性を有しているので、図１に示す天井Ｃとの間に間仕切り１を支持する支持部材等を介装させる必要がなく、室内をすっきりとさせるとともに設置時の工程を省くことができるという効果を奏する。
また、スライド扉６は、角柱状の戸先部４６により縦方向の剛性も非常に高まるという効果を奏する。
【００６６】
また、スライド扉６は、戸袋４内に完全に収納した際に、固定扉５の戸先側端面から可動用パネル部材４５が突出するように形成されている、すなわち固定扉５の戸先側端面と戸先部４６の戸尻側端面との間に可動用パネル部材４５が露出した高さ方向の溝状をなすように形成されている。したがって、戸先部４６の戸尻側端面に指をかけてスライド扉６を操作した際に、戸先部４６と固定扉５との間に指を詰めてしまうことを回避することができるという効果を奏する。
【００６７】
また、スライド扉６の引き出し時には、最大の引き出し状態で扉側引き出し停止部材４９と上枠側引き出し停止部材４０とが係合するようになっているため、スライド扉６が抜けてしまうことを防止できる。
【００６８】
なお、本実施形態の間仕切り１は、固定扉５及びスライド扉６の双方に窓１５，５５を形成した例を示したが、窓１５，５５はいずれか一方に形成されていてもよい。また、窓１５，５５は、カーテン、ロールスクリーン、ブラインド、その他の透視防止又は透光防止手段を備えていてもよい。窓１５，５５の開閉手段は、窓１５，５５の一方の面に設けられていても双方の面に設けられていてもよい。
【００６９】
なお、固定扉５及びスライド扉６の双方に窓１５，５５を設ける場合は、スライド扉６の収納時にスライド扉６が固定扉５側の窓１５の透光又は透視可能範囲を狭めないように窓５５の位置決めをし且つ窓５５の大きさを窓１５と同等以上にしておくことが好ましい。
【００７０】
次に、本発明のスライド扉６の変形例について説明する。
スライド扉６の変形例としては、図１１及び図１２に示すスチール等の鋼板により形成された可動用パネル部材４５及び戸先部４６が挙げられる。
この場合の戸先部４６と可動用パネル部材４５との取付構造は以下のとおりである。
【００７１】
戸先部４６の戸尻側端面には、図１１に示すように、前述した戸先部４６と同様に、可動用パネル部材４５を嵌合させる嵌合凹部４６ｓが長手方向に形成されている。嵌合凹部４６ｓは、可動用パネル部材４５の表面材Ｐ，Ｐ（図３参照）に対向させる内側面部４６ａ，４６ａと、可動用パネル部材４５の戸先側端面４５ａが対向する戸尻側端面部４６ｂとにより形成されている。
嵌合凹部４６ｓの戸尻側端面部４６ｂには、長手方向すなわち上下方向に間隔を空けて被係止孔５６が複数形成されている。
【００７２】
一方、可動用パネル部材４５の戸先側端面４５ａには、被係止孔５６に係止させる係止部材５１が被係止孔５６に対応する位置に固定されている。
係止部材５１は、可動用パネル部材４５に固定される平坦な取付部５２と、取付部５２から下方又は上方に（本例では下方に）延びる先端爪部５３とを有した板状の部材である。
【００７３】
先端爪部５３は、取付部５２の下端５２ａを支点として、戸先方向に傾斜している。この形状により先端爪部５３は、戸先方向に弾性変形可能で、この先端爪部５３と可動用パネル部材４５の戸先側端面４５ａとの間に、嵌合凹部４６ｓの戸尻側端面部４６ｂを挿入させやすくなっている。
可動用パネル部材４５と戸先部４６とは、図１２に示すように、係止部材５１の先端爪部５３を嵌合凹部４６ｓの被係止孔５６に挿入して係止させることにより固定する。
【００７４】
また、更に別の変形例として、間仕切り１は、図１３及び図１４に示すように、スライド扉６の抜け止め構造６０をスライド扉６の下部に更に有していてもよい。なお、図１３は、図３に示す固定扉５及び巾木ベース２の底板部２６及び水平板部３０以外を省略して示したスライド扉６の一部縦断面図であり、図１４は、図３に示すスライド扉６及び巾木ベース２を省略して示した固定扉５側の一部横断面図である。
【００７５】
図１３に示すように、抜け止め構造６０は、図１４に示すレール部材２３の延長線上であって戸袋４の開口部近傍に設けられた被係止側留め部材６１と、可動用パネル部材４５の戸尻側端部を戸袋４内に残してスライド扉６の摺動を可能にする、スライド扉６に設けられた摺動・係止構造７０とを備えている。
【００７６】
被係止側留め部材６１は、固定部６３と、軸部６４と、軸部６４に取り付けられた回転留め部６５とを有している。
固定部６３は、板状に形成されビス等の固定手段により巾木ベース２の水平板部３０上に固定されている。軸部６４は、軸線Ｌ２を鉛直方向に向けて固定部６３上に設けられている。なお、固定部６３は、直接床面Ｆに固定してもよい。
【００７７】
回転留め部６５は、リング状の回転体で、不図示の軸受を介して軸部６４に取り付けられ、水平方向に回転できるようになっている。図１４に示すように、回転留め部６５の外径６５ｒは、図３に示すスライド扉６の可動用パネル部材４５の下端部に設けられた不図示のＵ字状の補強部材の内面間の寸法よりも僅かに小さい寸法に形成されている。その結果、回転留め部６５は、スライド扉６の摺動時にスライド扉６が厚さ方向にぶれた場合に前記不図示のＵ字状の補強部材に対して回転しながら触れ、スライド扉６との摩擦を極力抑えながらスライド扉６の支持を補完する。
回転留め部６５の材質としては、特に限定されないが、弾性を有する合成樹脂が好適に用いられる。
【００７８】
一方、スライド扉６の摺動・係止構造７０は、可動用パネル部材４５の下端部に形成された摺動部７１と、回転留め部６５に係止させる係止側部材７２とを備えている。
摺動部７１は、本例では、可動用パネル部材４５の下端部に設けられた不図示のＵ字状の補強部材により囲まれ、下方が開口した空洞部の構成を取っている。摺動部７１は、可動用パネル部材４５の戸先側先端から戸尻側後端部に設けられた係止側部材７２までの領域に亘って形成されている。
【００７９】
係止側部材７２は、可動用パネル部材４５の戸尻側の戸車Ｔの戸先側の近傍に固定され、回転留め部６５に係合させる係止面７３ａを有する部材である。係止側部材７２の一例として、戸車Ｔの一部を下方から突出させた状態で戸車Ｔを取り囲み、戸車Ｔの前後に固定部を有し、戸車Ｔ近傍の戸先側に係止面部７３を有した取付ボックス７４を示す。
【００８０】
取付ボックス７４は、水平方向に延びる第１固定部７５と、第１固定部７５の戸尻側端部から下方に延びた後、戸先方向に折れ曲がって水平に延び、更に戸先側端部で折れ曲がって上方に延びる囲繞部７６と、囲繞部７６の上端から戸先側に延びる第２固定部７７とを有している。
第１固定部７５は、可動用パネル部材４５の下端部に設けられた不図示のＵ字状の補強部材の下面に配され、ビス等の固定手段により固定されている。
【００８１】
囲繞部７６は、第１固定部７５の戸尻側端部から下方に延びた後面部７６ａと、戸先方向に折れ曲がって水平に延びた底面部７６ｂと、戸先側端部で折れ曲がって上方に延びた係止面部７３とを有している。
後面部７６ａは、可動用パネル部材４５の戸尻側端面に沿って設けられている。
底面部７６ｂは、戸車Ｔの一部を突出させる開口部が形成された板状部であり、可動用パネル部材４５の下面を形成している。
【００８２】
係止面部７３は、可動用パネル部材４５の戸尻側端部を戸袋４内に残すようにスライド扉６を最大限引き出した際に回転留め部６５に当たってそれ以上の引き出しを止める鉛直方向に延びる係止面７３ａを有した板状の部分である。
第２固定部７７は、可動用パネル部材４５の下端部に設けられた不図示のＵ字状の補強部材の下面に配されて、ビス等の固定手段により固定されている。
【００８３】
以上の構成を有する取付ボックス７４が、底面部７６ｂの開口部から戸車Ｔの一部を突出させた状態でかつスペースに余裕を持った状態で囲繞部７６内に戸車Ｔを固定している。そして、取付ボックス７４は、戸車Ｔの戸先側及び戸尻側の２カ所で第１固定部７５と第２固定部７７により固定されている。また、係止面部７３が底面部７６ｂと後面部７６ａに連接しており、耐衝撃性の高い囲繞部７６の一部として設けられている。
したがって、スライド扉６を勢いよく引き出した結果、回転留め部６５が係止面部７３に勢いよく当たっても回転留め部６５及び係止側部材７２を構成する取付ボックスが７４の双方がぐら付くことなくスライド扉６の摺動をしっかりと止めることができる。
【００８４】
また、スライド扉６を引き出すことにより、回転留め部６５が摺動部７１を相対的に通過している際には、回転留め部６５が不図示のＵ字状の補強部材の内壁面に触れた場合に回転するので、スライド扉６との摩擦を極力抑えることができる。
一方、回転留め部６５が係止面部７３に当たった場合、回転留め部６５と係止面部７３との間に回転方向に垂直な方向には大きな摩擦が働く。したがって、回転留め部６５は、スライド扉６の上方への跳ねなどを抑えることができ、スライド扉６の引き出し時における抜けをほぼ確実に防止することができる。
なお、前述した抜け止め構造６０は、スライド扉６がスチール等の鋼材により形成されている場合に限らず、木製その他合成樹脂製である場合にも適用することができる。
また、間仕切り１のスライド扉６の抜け止めには、抜け止め構造６０だけが設けられていてもよい。
【００８５】
本実施形態では、角柱状に形成された戸先部４６を例示したが、戸先部４６の形状は角柱状に限定されるものではなく、図１５（ａ），（ｂ）に示すように、戸先側端面が滑らかに湾曲する横断面視（すなわち長手方向に直交する方向に切断して視た場合）円弧状又は横断面視で略台形に形成されていてもよい。戸先部４６の形状は、図示しないが、その他横断面視で３角形その他の多角形に形成されていてもよく、又は適宜溝を有していたりしていてもよい。
【００８６】
また或いは、これらの形状は、人が手を添えてスライド扉６を引き出し又は収納する上下方向の位置（例えば上下方向の中間部）及び下端部にのみ形成されていてもよい。要するに戸先部４６は、戸車Ｔを取り付ける下端部及びスライド扉６の出し入れに好適な箇所において可動用パネル部材４５よりも肉厚な段差を有していればよい。
また、戸先部４６の戸車Ｔ，Ｔは、その厚さ方向の一部が戸袋４の外側に位置するように取り付けられていてもよい。戸車Ｔ，Ｔ間が大きいほどスライド扉６の安定性を増すことができる。
また、本発明の間仕切り１は、固定する側壁及び床があれば、屋内に限らず屋外で適用することもできる。
【符号の説明】
【００８７】
１  間仕切り
３  ガイドレール
４  戸袋
５  固定扉
６  スライド扉
７  固定用パネル部材（パネル部材）
４５  可動用パネル部材（パネル部材）
４６  戸先部
４６ｃ  戸先部の下面部
Ｃ  天井
Ｔ  戸車
Ｘ  室内システム
【図１】
2019015044.tif 000003
【図２】
2019015044.tif 000004
【図３】
2019015044.tif 000005
【図４】
2019015044.tif 000006
【図５】
2019015044.tif 000007
【図６】
2019015044.tif 000008
【図７】
2019015044.tif 000009
【図８】
2019015044.tif 000010
【図９】
2019015044.tif 000011
【図１０】
2019015044.tif 000012
【図１１】
2019015044.tif 000013
【図１２】
2019015044.tif 000014
【図１３】
2019015044.tif 000015
【図１４】
2019015044.tif 000016
【図１５】
2019015044.tif 000017